(57)【要約】  本発明は、映像要素と、映像内容の少なくともいくつかの描写を提供する音声描写要素を含む音声要素とを備える放送信号を受信するように構成された、オーディオビジュアル表示装置（１０）を提供し、装置（１０）は、映像要素の代わりに、前記音声描写要素の出力に切り替えるための手段（２４）を含み、切り替えは、装置の動作特性の悪化に応じる。
2007531375.tif 000002
【特許請求の範囲】
【請求項１】
映像要素と音声要素とを備える放送信号を受信するように構成されたオーディオビジュアル表示装置であって、
前記音声要素は、映像内容の少なくともいくつかの描写を提供する音声描写要素を、含んでおり、
当該装置に関連する動作特性の悪化に応じて、前記映像要素の代わりに、前記音声描写要素の出力に切り替えるための手段を含む、
ことを特徴とする表示装置。
【請求項２】
前記動作特性を監視するための手段を含む、ことを特徴とする請求項１に記載の装置。
【請求項３】
監視するための前記手段は、当該装置内のバッテリーレベルを監視するように構成されている、ことを特徴とする請求項２に記載の装置。
【請求項４】
前記特性を監視するための前記手段は、当該装置内のデータ処理能力を監視するように構成されている、ことを特徴とする請求項２または請求項３に記載の装置。
【請求項５】
監視するための前記手段は、メモリ容量を監視するように構成されている、ことを特徴とする請求項４に記載の装置。
【請求項６】
前記動作特性を監視するための前記手段は、当該装置で受信された前記放送信号の品質を監視するように構成されている、ことを特徴とする請求項３、請求項４、または請求項５に記載の装置。
【請求項７】
前記特性を監視するための前記手段は、前記映像要素の画質を監視するように構成されている、ことを特徴とする請求項６に記載の装置。
【請求項８】
携帯型無線通信デバイスを備える、ことを特徴とする請求項１乃至請求項７のいずれかに記載の装置。
【請求項９】
映像要素と、映像内容の少なくともいくつかの描写を提供する音声描写要素を含む音声要素とを備える放送信号を受信および表示する方法であって、
前記装置に関連する動作特性の悪化に応じて、前記映像要素の代わりに、前記音声描写要素の出力に切り替えるステップを含む、
ことを特徴とする方法。
【請求項１０】
前記動作特性を監視するステップを含む、ことを特徴とする請求項９に記載の方法。
【請求項１１】
前記装置内のバッテリーレベルを監視するステップを含む、ことを特徴とする請求項１０に記載の方法。
【請求項１２】
前記装置内のデータ処理能力を監視するステップを含む、ことを特徴とする請求項１０または請求項１１に記載の方法。
【請求項１３】
メモリ容量を監視するステップを含む、ことを特徴とする請求項１２に記載の方法。
【請求項１４】
前記装置で受信された前記放送信号の品質を監視するステップを含む、ことを特徴とする請求項１０、請求項１１または請求項１２に記載の方法。
【請求項１５】
画質を監視するステップを含む、ことを特徴とする請求項１２に記載の方法。
【発明の詳細な説明】
【技術分野】
【０００１】
本発明は、オーディオビジュアル表示装置および関連する方法に関し、特に、比較的小さなハンドヘルド携帯型オーディオビジュアル表示装置に関する。
【背景技術】
【０００２】
オーディオビジュアル表示装置などの電子デバイス内の電力要求および電力消費の数値が、携帯デバイスに対する増加的な要望のために、また全般的な動作効率を改善するためにも、ますます重要となっている。
【発明の開示】
【発明が解決しようとする課題】
【０００３】
現在知られているオーディオビジュアル表示デバイスは、サービスの側面で電力を消費する限りにおいて、不都合を示しており、デバイスは、例えば、デバイス自体の制限や受信された信号の品質の制限により、また任意の特定の時点で残存し得るバッテリー電力のレベルも考慮すると、適切であると立証できず、または十分に利用可能であると立証できない。
【０００４】
本発明は、オーディオビジュアル表示装置、および関連する操作方法を提供しようとするものであり、これらは、既知のこのような装置および方法に対する利点を示すものである。
【課題を解決するための手段】
【０００５】
本発明の第１の態様によると、映像要素と音声要素とを備える放送信号を受信するように構成されたオーディオビジュアル表示装置が提供され、前記音声要素は、映像内容の少なくともいくつかの描写を提供する音声描写要素を、含んでおり、当該装置は、装置に関連する動作特性の悪化に応じて、映像要素の代わりに、前記音声描写要素の出力に切り替えるための手段を含む。
【０００６】
装置は、特定の動作特性に応じた態様で映像出力を無効化することにおいて有利であることを立証できる。
【０００７】
本発明は、次いで、必要に応じて、音声描写要素によって適当な出力をユーザに提供しながら、装置内の電力消費を削減できる。
【０００８】
有利なことに、装置は、前記動作特性を監視するための手段を含む。
【０００９】
監視するための前記手段は、装置内のバッテリーレベルを監視するように、有利に構成することができ、バッテリーレベルが閾値まで下がった際に、映像出力から音声描写要素の出力に切り替えて、その後、装置内の電力を節約する。
【００１０】
代わりに、または加えて、特性を監視するための手段は、装置内の利用可能なデータ処理能力を監視するように構成することができる。従って、現在のメモリ容量を、映像内容よりも音声描写要素の処理を可能にするために監視することができ、これは、制限されたメモリ容量のみによって、装置の所望の動作を継続することにおいて、有利であることを立証できる。
【００１１】
さらにまた、動作特性を監視するための手段は、装置で受信された放送信号の品質を監視するように構成することができ、不適切で質の悪い受信信号が検出された場合、音声描写要素の出力に切り替えることを提供する。
【００１２】
有利なことに、特性を監視するための手段は、映像要素の画質を監視するように構成することができる。
【００１３】
本発明は、携帯型オーディオビジュアル表示装置としての使用に対して、特に有利であることを提供することを理解すべきであり、この表示装置は、必要に応じて、映像要素を含む放送を受信するように構成された携帯電話などの、携帯型テレビジョン装置および／または携帯型無線通信装置を備えることができる。
【００１４】
装置は、特に、デジタル放送システムにおいて有利に採用することができ、音声描写要素は、前記音声要素とは別の音声チャンネルで送信し、この音声チャンネルから抽出されるように、有利に構成することができる。上述のように、本発明の好適な一態様は、映像出力の無効化を提供し、これは、従って、装置のビデオ表示デバイスをスイッチオフすることを、有利に可能とすることができる。これは、次いで、装置からの音声出力が、映像出力の代わりに音声描写要素を含むように構成されている期間については、装置内の電力消費を大きく削減することができる。
【００１５】
本発明の他の態様によると、映像要素と、映像内容の少なくともいくつかの描写を提供する音声描写要素を含む音声要素とを備える放送信号を受信および表示する方法が提供され、方法は、装置に関連する動作特性の悪化に応じて、映像要素の代わりに、前記音声描写要素の出力に切り替えるステップを含む。
【００１６】
本発明の方法は、上述したようなオーディオビジュアル表示装置のさらなる有利な機能を提供するステップを含むように構成することができる。
【００１７】
従って、本発明の概念は、例えば適切に有効化された携帯電話において、デバイスの表示画面が、使用されるべきでないか、または使用できない状況において、例えば放送ＴＶ内容の消費を考慮に入れていることを理解すべきである。このような使用は、利用可能なバッテリー電力あるいは受信信号品質または処理能力などの側面により、制限を必要とする可能性がある。よって、このような潜在的に不利な特性に直面したとしても、携帯デバイスのユーザは、それにもかかわらずまだ、十分な出力をデバイスから得て、映像内容の基本的な側面を理解し認識することができる。
【００１８】
本発明のさらなる態様によると、動作特性の悪化に応じて音声描写要素を開始するよりも、動作の態様を監視して、例えば、装置の移動を識別することもできる。移動が検出されるか、または閾値速度より上の移動が検出された場合、次いで、音声描写要素を開始することができる。これは、装置を観ることがユーザにとって不適切である状況、例えば歩行、走行または運転時において、音声描写出力への自動切替えを提供することについて、特に有益であることを立証できる。
【発明を実施するための最良の形態】
【００１９】
以下、本発明を、添付の図面を参照して、単なる例としてさらに説明し、図面は、本発明の実施形態に係るオーディオビジュアル装置の実施形態を、ブロック概略形態で示している。
【００２０】
ここで、添付の図面を参照すると、オーディオビジュアル表示装置が示されており、装置は、この特定の実施形態では、放送テレビジョン信号を受信および表示するように構成された携帯電話１０を備える。
【００２１】
携帯電話１０は、従って、表示画面１２と、映像内容の表示を可能にするために適切なデータ処理能力の関連駆動回路（図示せず）と、携帯電話１０からの音声出力を提供するために構成された小型スピーカ１４と、を含む。
【００２２】
表示画面１２は、入力ライン１６からの映像信号によって駆動され、スピーカ１４は、入力ライン１８からの音声信号によって駆動される。
【００２３】
携帯電話１０は、アンテナ２０を含み、放送信号が、アンテナ２０によって受信され、次いで、復号および処理ブロック２２，２４に、標準的なやり方で供給され、復号および処理ブロック２２，２４は、図示の例ではデータライン２６によって接続されている。
【００２４】
図示されるように、画面１２およびスピーカ１４を駆動し、ライン１６および１８によって供給される信号は、プロセッサ２４からの制御下で供給される。
【００２５】
携帯電話１０の携帯性のために、オンボード電源が、バッテリー２８の形態で設けられており、バッテリー２８は、各電源ライン３０，３２によってデコーダ２２およびプロセッサ２４の電力要求を満たすように構成されている。
【００２６】
バッテリー２８は、また、表示画面１２に電力を供給するようにも構成されているが、本発明の図示された実施形態によると、このような電源は、ライン３４によって、プロセッサ２４を介して供給される。
【００２７】
プロセッサ２４は、従って、ライン３４による電力供給を切り、かつ、ライン１６により供給される表示装置を駆動する信号を止めるやり方で、表示画面１２の無効化を提供するためのスイッチング機能を含む。
【００２８】
本発明のこの特定の実施形態は、デジタルＴＶ信号を受信するように構成されており、この信号は、放送信号の特定チャンネル内の音声描写要素も含んでいる。
【００２９】
音声描写は、デジタル放送で採用されている技術であり、特に、視覚障害を有するユーザへの補助としての役割を果たす。このような音声描写放送は、映像内容に関連する追加の音声チャンネルからなる。音声描写は、別の方法では映像シーケンスから発生する会話の経過のみからは認識できないような、映像シーケンスの特定シーン内の動作／動きを描写するための実際の映像内容の音声描写を含む。
【００３０】
よって、このような放送内で、追加の音声チャンネルが設けられており、これは、映像シーケンスに関連して発生する会話と重ねて、追加の音声出力を提供するためにアクセスすることができ、かつ、別の方法では視覚障害者が理解できないような映像出力の側面を、明確に描写する。
【００３１】
本発明の図示された実施形態では、このような追加の音声描写要素が、特に携帯電話１０の効率を高めるために、有利に採用されている。
【００３２】
プロセッサ２４には、携帯電話１０の、または携帯電話１０に関連する、特定の動作特性における悪化を判別するための手段が設けられている。
【００３３】
例えば、動作特性は、アンテナ２０で受信される信号の映像要素の品質、または画面１２に表示することができる映像内容の実際の品質、を含むことができる。次いで、受信された信号の利用可能な映像要素の品質が、適切な品質の出力を提供するのに不十分な場合、音声描写に有利なように、かつ電力を節約するために、画面１２を無効化することができる。
【００３４】
前記特性は、放送データの内部処理に関する側面を含むこともでき、この側面は、例えば、携帯電話１０のメモリ容量の一時的な減少を含むことが可能である。次いで、映像出力の処理に悪影響を及ぼしそうなやり方で、利用可能なメモリが減少した場合、音声描写を導入することができ、これは、１０メモリ集約的である。
【００３５】
例えば、放送が、後で視聴するためにローカルキャッシュに記憶され、かつ、完全な映像記憶をサポートするにはキャッシュ容量が少なすぎる場合に、音声描写への自動切替えを提供することができる。
【００３６】
このような悪化のいずれかが、プロセッサ２４で判別されると、プロセッサ２４は、スピーカ１４による音声描写の提供に切り替わり、同様に、表示画面１２を無効化するように構成されており、これにより、映像データが供給されず、また、画面１２が効果的にパワーダウンされる。このような処置は、携帯電話１０の電力消費を、有利に削減するが、これはしかし、音声描写要素の出力を有効化することによって、携帯電話１０のユーザに、映像出力の無効化を補う音声出力を提供するようなやり方で行なわれる。
【００３７】
従って、特定のオーディオビジュアル放送を楽しみ、追従するユーザの能力を、少なくとも映像内容に一時的にアクセスすることなく、高めることができる。
【００３８】
図示された実施形態は、音声描写放送を採用しており、音声描写放送は、デジタル映像放送（ＤＶＢ：Digital Video Broadcasting）システム内で、受信信号の映像および対応する音声要素の両方に付随する、映像シーンの音声描写を備える。
【図面の簡単な説明】
【００３９】
【図１】図１は、本発明の実施形態に係るオーディオビジュアル装置の実施形態を、概略ブロック形態で示している。
【図１】
2007531375.tif 000003
【国際調査報告】
2007531375.tif 000004
2007531375.tif 000005
2007531375.tif 000006